(57)【特許請求の範囲】
【請求項１】
フラッシュマチック調光方式とオート調光方式を切り換え可能なストロボ調光装置において、
被写体の中心部と周辺部を測光することが可能なように分割された測光素子を有する測光手段と、
上記測光手段により得られた分割された測光素子の測光値に基づいて被写体が逆光状態にあるか否かを判定する逆光状態判定手段と、
を具備し、該逆光状態判定手段において上記被写体が逆光状態であると判定された場合には、上記フラッシュマチック調光方式を選択することを特徴とするストロボ調光装置。
【請求項２】
上記逆光状態判定手段は、上記被写体の中心部の測光値と周辺部の測光値の差が所定値以上であるときに逆光状態であると判定することを特徴とする請求項１に記載のストロボ調光装置。
【発明の詳細な説明】
【０００１】
【産業上の利用分野】
本発明は、複数の調光方式を有するカメラのストロボ調光装置に関する。
【０００２】
【従来の技術】
従来、ストロボ装置の発光（調光）制御方式については、２通りの方法があることが一般的に知られている。その１つは、「フラシュマチック方式」と称されるもので、カメラ側に設定された絞り値、被写体距離及びフィルム感度値等のストロボ撮影に関係する情報から事前に適正ガイドナンバを計算して発光量を決定する所謂オープン制御方式である（以下、この方式をＦＭ調光と称する）。
【０００３】
他の１つは、外光式オート又はＴＴＬオートと称される方式で、ストロボ発光光の被写体からの反射光をセンサで受光し、該発光光量の信号をストロボ側にフィードバックすることでストロボの発光光量を調整して、適正な発光光量になった時点で発光停止する方式である（以下、この方式をオート調光と称する）。
【０００４】
これら２つの調光制御方式には、それぞれ適正露出が得られにくい撮影状況がある。即ち、上記ＦＭ調光では、第１にＮＤフィルタ等の撮影レンズ透過光量を減少させるフィルタが装着された場合、第２にテレコンバータ等の焦点距離を可変にするコンバータが装着された場合、第３に多灯ストロボ、バウンスストロボ使用時又はカメラ本体からストロボが大きく離れている場合、第４に被写体距離の情報の信頼性が低い場合、第５にマクロ撮影時によくあるようにストロボ光を拡散させる効果を持つ装置を使用した場合に適正露出は得られにくい。これらの場合には、ＦＭ調光がカメラ側に設定された絞り値、被写体距離及びフィルム感度値等のストロボ撮影に関係する情報からガイドナンバを計算して発光量を決定する方式であるため、適正露出が得られにくいのである。
【０００５】
一方、オート調光方式では、第１に被写体の反射率が極端に低い場合や高い場合、第２に日中シンクロで被写体が逆光状態にある場合、換言すれば、主要被写体の周りに極端に高輝度の被写体がある場合に適正露出は得られにくい。このような場合には、オート調光方式が被写体からの反射光に基づいて発光光量決定する方式であるため、適正露出が得られにくいのである。
【０００６】
以上のような各調光方式の欠点を補うために、上記２つの調光方式のいづれかを自動的に選択するストロボ調光装置が提案されている。
即ち、例えば、特開昭５８−２２４３３４号公報では、２つの調光方式を自動的に切換え可能にし、撮影レンズ透過光量を減少させるフィルタや焦点距離を可変にするコンバータが装着された時はオート調光方式を選択する技術が開示されている。更に、特開平３−４２６４４号公報では、バウンスストロボ使用時、又はカメラ本体からストロボが大きく離されている場合には、オート調光方式を選択する技術が開示されている。
【０００７】
【発明が解決しようとする課題】
しかしながら、前述したＦＭ調光とオート調光を自動的に切り換える従来技術によれば、上記ＦＭ調光の上記第１乃至第第３の時点では適正露出が得られるが、上記第４及び第５の時点では適性露出は得られず、更にはオート調光の上記第１及び第２の時点では適正露出は得られていない。
【０００８】
ここで、上記ＦＭ調光の第４の時点で適正露出が得られないのは、撮影レンズの焦点を検出する焦点検出装置は、所謂パッシブ位相差オートフォーカス装置の場合には被写体の焦点ずれ量、即ちデフォーカス量が算出され、合焦までのレンズ駆動量が算出されるだけであって被写体距離は算出されないため、ＦＭ調光を行うためには、焦点検出装置とは別に被写体距離を演算する装置が必要となってくるからである。
【０００９】
例えば、特開昭６２−２６４０３２号公報には、焦点調節レンズの移動量から被写体距離を演算する技術が開示されている。同技術では、被写体距離ｒは次の式で表すことができる。
【００１０】
ｒ＝ｂ／（ｘ−ａ）              …（１）
ここで、ｘは焦点調節レンズの無限遠合焦位置からの繰出し量で、更に具体的には後述する焦点調整レンズ駆動モータの回転軸に附随したフォトインタラプタ（ＰＩ）の無限遠合焦位置からのパルス数であり、ａ及びｂは撮影レンズの焦点距離毎に固有の定数である。
【００１１】
上記（１）式に基づいてＦＭ調光に必要な被写体距離情報を得ることはできるが、上記（１）式には焦点距離が短かったり、或いは被写体距離が遠かったりした場合には、その信頼性が低下するという問題点がある。
【００１２】
一般に、オートフォーカスカメラは、撮影レンズが一定の合焦許容範囲（許容デフォーカス量）内にあれば合焦とするアルゴリズムによって焦点調節し、また一定の測距誤差や一定の駆動系のギヤのバックラッシも存在する。従って、合焦していると判定された場合でも上記（１）式のｘの取り得る範囲は広角側では望遠側よりもはるかに広く、ａ及びｂは定数であるためにｘのみで被写体距離が決定される上記（１）式の方法では、広角側で著しい被写体距離演算誤差を生じ、ＦＭ調光精度が低下するのである。
【００１３】
ここで、図２には広角側（３５ｍｍ前後の目安）と望遠側（１３５ｍｍ前後の目安）のＦＭ調光による露光誤差と被写体距離の関係の一例を示す。
同図より、上記（１）式の信頼性低下のためガイドナンバ１５のストロボでＩＳＯ４００のフィルムを使用した場合には、絞り５．６のフル発光で約±１ＥＶの露光誤差が生じることが判る。また、被写体距離が長くなるほど露光誤差が増加することが判る。
【００１４】
本発明は上記問題に鑑みてなされたもので、その目的とするところは、ＦＭ調光とオート調光の切換可能なカメラのストロボ調光装置において、被写体距離の情報の信頼性が低い時やマクロ撮影モード設定時にはオート調光を自動的に選択する共に、日中シンクロで被写体が逆光状態にある場合にはＦＭ調光を自動的に選択し、また、被写体の反射率が極端に低い場合や高い場合やハイレベルな撮影者向きに、ＦＭ調光とオート調光を手動によって選択可能にし、あらゆる被写体において適正露出が得られるストロボ調光装置を提供することにある。
【００１５】
【課題を解決するための手段】
上記目的を達成するために、本発明の第１の態様によれば、フラッシュマチック調光方式とオート調光方式を切り換え可能なストロボ調光装置において、被写体の中心部と周辺部を測光することが可能なように分割された測光素子を有する測光手段と、上記測光手段により得られた分割された測光素子の測光値に基づいて被写体が逆光状態にあるか否かを判定する逆光状態判定手段と、を具備し、該逆光状態判定手段において上記被写体が逆光状態であると判定された場合には、上記フラッシュマチック調光方式を選択することを特徴とするストロボ調光装置が提供される。
本発明の第２の態様では、上記第１の態様において、上記逆光状態判定手段は、上記被写体の中心部の測光値と周辺部の測光値の差が所定値以上であるときに逆光状態であると判定することを特徴とするストロボ調光装置が提供される。
【００２１】
【実施例】
先ず、本発明の実施例の説明に先立ち、本発明の理解を容易にするためにＦＭ調光とオート調光（ＴＴＬ調光を例に挙げる）の制御方式について説明する。尚、各方式については既に公知の技術であるため、ここでは簡単に説明する。
【００２２】
一般に、ＦＭ調光ではガイドナンバＧＮは次式で求められる。但し、以下の式はＩＳＯ１００の場合を示している。
ＧＮ＝（被写体距離）×（絞りｆ値）  …（２）
カメラ内のマイクロコンピュータでは、被写体距離と絞り値とフィルム感度の情報からＲＯＭ中のテーブルを参照してＧＮを求める。上記ＴＴＬ調光の制御を行う電気回路については後述する。
【００２３】
以下、図面を参照して本発明の実施の形態について説明する。
図１には本発明のストロボ調光装置の概念図を示して説明する。
同図において、被写体距離演算部１は、上記（１）式に基づいて被写体距離を演算する。即ち、焦点距離情報出力部２の出力に基づいて上記（１）式中の定数ａとｂを選択し、更に後述する不図示のＡＦＰＩの出力である焦点調節レンズの無限遠合焦位置からの繰出し量ｘの情報から被写体距離を演算する。
【００２４】
焦点距離情報出力部２は、ズーミングによって変化する撮影レンズ（図３の符号１０１に相当、以下同じ）の位置を出力する後述するズームエンコーダからの情報に基づいて現在の撮影レンズの焦点距離に相当する情報を算出する。
【００２５】
被写体距離信頼性判定部３は、被写体距離演算部１の出力である被写体距離が所定の距離よりも遠いかを判定し、又は焦点距離情報出力部２の出力である撮影レンズの焦点距離が所定の焦点距離よりも短焦点側にあるか判定する。被写体距離が所定の距離よりも遠いと判定されるか、或いは焦点距離が所定の焦点距離よりも短焦点側にあると判定された場合には、被写体距離演算部１の出力結果の信頼性が低いと判定する。
【００２６】
逆光判定部４は、被写体が逆光状態にあるかを判定する。測光用センサ（図３の符号１１２に相当）は中心部とその周辺部を測光する所謂日の丸センサとなっているので、中心部の測光結果が周辺部の測光結果よりも所定値だけ暗い状態にあるときには被写体が逆光状態であると判定する。マクロ撮影モード設定部５は、撮影者の意図によりマクロ撮影を行うモードを設定する。
【００２７】
調光方式選択部６は、ＴＴＬ調光とＦＭ調光を自動または撮影者の手動によって選択する。自動によって選択する場合には、被写体距離信頼性判定部３と逆光判定部４及びマクロ撮影モード設定部５の出力に基づいて選択の判断をする。
【００２８】
即ち、被写体距離信頼性判定部３によって被写体距離演算部１の出力結果の信頼性が低いと判定されている場合や、マクロ撮影モードが設定されている場合にはＴＴＬ調光を選択し、逆に被写体距離演算部１の出力結果の信頼性が高いと判定されている場合や、被写体が逆光状態にあると判定されている場合にはＦＭ調光を選択する。
【００２９】
手動によって選択する場合には、カメラに設けられた調光方式選択スイッチの操作によって選択する。この調光方式選択部６の選択結果に基づいて、ＴＴＬ調光制御部７若しくはＦＭ調光制御部８によって閃光発光部９（後述する図３のストロボ１０５に相当）を発光制御する。
【００３０】
次に図３は本発明のストロボ調光装置を採用したカメラの光学系を中心とした構成を示す図である。このカメラは、一眼レフレックスカメラであり、オートフォーカス（ＡＦ）方式としてはパッシブ位相差ＡＦ方式を採用している。
【００３１】
同図に於いて、カメラ本体１００内の所定位置には撮影レンズ１０１が配設されており、当該撮影レンズ１０１を通過した光の光路上には、ミラー１０２が配設されている。そして、当該ミラー１０２で反射した光の光路上にはスクリーン１０３、ペンタプリズム１０４、ファインダ１０６が配設されている。
【００３２】
さらに、上記ミラー１０２の所定位置にはサブミラー１０９が配設されており、上記ミラー１０２を通過してサブミラー１０９の反射面で反射した光の光路上には、ＡＦ用の光学系とＡＦセンサを含むＡＦユニット１０７、ＴＴＬ調光センサ１０８が配設されている。この他、カメラ本体１００内の所定位置にはシャッタ１１０、フィルム１１１、ストロボ１０５、測光用センサ１１２が配設されている。尚、上記測光用センサ１１２は中心部を測光するセンサと、その周辺部を測光する２分割の構成になっている。
【００３３】
このような構成において、ミラー１０２が図示の位置にあるときには、撮影レンズ１０１からの光はペンタプリズム１０４に導かれると共に、サブミラー１０９を介してＡＦユニット１０７に導かれる。一方、ミラー１０２が上昇し、シャッタ１１０が開の状態にあるときには、撮影レンズ１０１からの光はフィルム１１１を露光すると共に、その反射光はＴＴＬ調光センサ１０８へ入射するようになっている。上記測光用のセンサ１１２は、ミラー１０２が図示の下降位置にあるときにペンタプリズム１０４を通過する光を測光する。
【００３４】
次に図４は本発明のストロボ調光装置を採用したカメラの構成を更に詳細に示すブロック図である。マイクロコンピュータ３０（以下、ＭＣＯＮ３０と記す）はカメラのシーケンスの制御を司るコンピュータであり、同図に示すように多数の回路が電気的に接続されている。
【００３５】
フィルム感度読取回路３１は、測光演算や調光に必要なフィルム感度情報を算出する回路である。ＥＥＰＲＯＭ３２はカメラの調整値やソフトウェア中の定数等を記憶する不揮発性メモリである。ＬＣＤ３３はカメラ本体１００上に設けられた液晶表示素子である。
【００３６】
また、スイッチ類３４は撮影者が操作する全てのスイッチであり、本発明に関係する主なスイッチは、レリーズスイッチ、ズーミングを行うズームスイッチ、撮影モードの切換えを行うモードスイッチ及び調光方式手動切換スイッチ等である。なお、上記レリーズスイッチは２段階構成になっており、１段階目の半押しでＡＦ等を行い、２段階目の全押しでレリーズ動作する。以下の説明では、１段階目を１Ｒ、２段階目を２Ｒと称する。
【００３７】
そして、ズーム駆動回路３５はズームスイッチの操作に連動して撮影レンズ１０１の一部であるズーム調整レンズ群３６を駆動してズーミングを行う回路であり、ズームエンコーダ３７によって撮影レンズ１０１の絶対的な位置がＭＣＯＮ３０に出力される。ＭＣＯＮ３０は、その情報に基づいて撮影レンズ１０１の焦点距離に相当する情報を得ることができる。
【００３８】
さらに、焦点検出回路３８は所謂パッシブ位相差ＡＦ方式により焦点検出センサ３９の出力に基づいてデフォーカス量を演算し、焦点調整レンズ群４１の駆動量を演算する回路であり、焦点調整レンズ駆動回路４０によって焦点調整レンズ群４１を駆動して焦点調整する。その駆動量は、アクチュエータである直流モータの回転軸に設けられたＡＦ用フォトインタラプタ（ＡＦＰＩ）４２によってモニタされる。また、絞り制御回路４３は絞りを制御してＭＣＯＮ３０で演算された絞り値まで駆動を行う回路であり、シャッタ制御回路４４はシャッタ１１０を駆動してＭＣＯＮ３０で演算された所定時間開閉を行う回路である。
【００３９】
また、測光回路４５は測光素子（SPD;Silicon Photo Diode ）４６，４７の光電流を積分して被写体の輝度に相当する情報をＭＣＯＮ３０に送る回路であり、上述したように測光素子は日の丸センサであり、中心部を測光する測光素子４６の出力と周辺部を測光する測光素子４７の出力に基づいて測光を行う。
【００４０】
ＴＴＬ調光回路４８はアナログのＩＣ（以下、ＴＴＬ  ＩＣと略記する）であり、Ｐ-ＳＣＫとＰ-ＳＤＡＴＡはＭＣＯＮ３０からシリアル通信でフィルム感度情報を受信するポートであり、Ｐ-ＴＴＬＥＮはＴＴＬ調光回路４８のイネーブルである。積分アンプ回路４９は演算増幅器で構成されており、その反転端と非反転端の間にはＴＴＬ調光用受光素子５０がイマジマリショートの形で接続され、反転端と出力端の間には積分コンデンサ５１が接続され、受光素子５０の光電流を積分コンデンサ５１に蓄積する。
【００４１】
受光素子５０は図３中のＴＴＬ調光センサ１０８に相当し、２分割や３分割等複数の受光素子で構成する技術も知られているが、ここでは説明を簡単にするために受光素子は１つとする。判定電圧作成回路５２は、フィルム感度情報に基づいて適正露光量となる積分アンプ回路４９の出力電圧値を作成する。判定回路５３はコンパレータで構成されており、積分アンプ回路４９の出力が判定電圧作成回路５２の出力まで達するとストロボの発光を停止する信号を出力する。
【００４２】
ストロボ回路５４は昇圧を行うトランス５５、該トランス５５の一次側回路５６、二次側回路５７、メインコンデンサ５８、発光管（Ｘｅ管）５９、該発光管５９に発光トリガをかけるトリガ回路６０及び発光制御回路６１から構成されている。発光制御回路６１はＩＧＢＴから構成され、ＭＣＯＮ３０からの制御で発光制御されると共に、ここでは判定回路５３の発光停止信号によっても瞬時に発光を停止できるようになっている。即ち、ＭＣＯＮ３０はポートＰ-ＳＴＣＨＧによりメインコンデンサ５８の充電を開始し、ポートＰ-ＳＴＭＯＮのアナログ電圧が所定電位に達するとＰ-ＳＴＣＨＧにより充電を停止する。更に、ポートＰ-ＳＴＯＮによって発光開始を制御し、ポートＰ-ＳＴＯＦＦ１によって発光の停止を制御する。また、ＴＴＬ調光回路４８はポートＰ-ＳＴＯＦＦ２によってＴＴＬ調光の場合の発光停止を行う。また、電池６２の電圧はＤＣ／ＤＣコンバータ６３によって安定化され、システム全体に供給される。発振子６４は、ＭＣＯＮ３０の動作クロックを生成するものである。
【００４３】
以下、図５のフローチャートを参照して、本発明を採用したカメラ全体の動作を説明する。前述したように、ＭＣＯＮ３０はカメラ全体のシーケンスや各種演算を行うマイクロコンピュータである。
【００４４】
さて、撮影者によりカメラのメインスイッチがオンされると、ＭＣＯＮ３０がパワーオンリセットされて動作を開始し、先ずＩ／Ｏポートの初期化とＲＡＭの初期化を行う（ステップＳ１）。そして、ストロボ回路５４の充電を充電完了するまで行う（ステップＳ２，Ｓ３）。
【００４５】
ＭＣＯＮ３０は、上記充電が完了していれば測光回路４５から被写体の輝度情報を入力し、該情報とフィルム感度情報からシャッタスピードと絞り値を算出する（ステップＳ４）。さらに、ＭＣＯＮ３０は、焦点検出回路３８で検出される焦点ずれ量に基づいて合焦に必要な焦点調整レンズ群４１の駆動量を演算する（ステップＳ５）。
【００４６】
続いて、ＭＣＯＮ３０は、１Ｒがオンになっているか否かを判定し（ステップＳ６）、オフであればオンになるまで上記ステップＳ２〜ステップＳ６を繰り返す。１Ｒがオンであれば焦点調整レンズ群４１を上記ステップＳ５で演算した駆動量だけ駆動して焦点を合わせる（ステップＳ８）。そして、ＦＭ調光とＴＴＬ調光のどちらを選択するか判断する（ステップＳ８）。このステップＳ８については後述する。
【００４７】
続いて、ＭＣＯＮ３０は、２Ｒがオンになっているか判定し（ステップＳ９）、オフであれば上記ステップＳ２に戻って上記の動作を繰り返す。そして、ＭＣＯＮ３０は２Ｒがオンであれば露光を開始するので、ミラー１０２をアップして絞りをステップＳ４で演算した値に駆動し（ステップＳ１０）、シャッタ１１０の開口を開始する（ステップＳ１１）。
【００４８】
次に、ＭＣＯＮ３０はストロボ回路５４のＸｅ管５９を発光するかを判断する（ステップＳ１２）。これは撮影者が強制発光モードを選択している場合は勿論のこと、撮影者がストロボ自動発光モードを選択している場合で、上記ステップＳ４にて所定値より低輝度である場合や、被写体が逆光状態である場合にストロボの発光が必要と判断される。ストロボの発光が必要でない場合にはステップＳ１７に移行するが、発光が必要である場合にはストロボ回路５４におけるＸｅ管５９の発光を開始する（ステップＳ１３）。
【００４９】
そして、上記ステップＳ８においてＦＭ調光が選択されたかを判断する（ステップＳ１４）。ＴＴＬ調光が選択された場合には、発光停止はＴＴＬ調光回路４８が自動的に行い、ＭＣＯＮ３０は何もしないのでステップＳ１７に移行するが、ＦＭ調光が選択された場合にはステップＳ８で演算された発光時間だけ発光して、発光停止する（ステップＳ１５，１６）。
【００５０】
そして、上記ステップＳ４で演算されたシャッタ開口時間だけシャッタ１１０を開口してシャッタ閉鎖し（ステップＳ１７，１８）、ミラー１０２をダウンして絞りを開放値にリセットし（ステップＳ１９）、１駒だけフィルム１１１を巻き上げて（ステップＳ２０）、一連の動作を終了する。
【００５１】
次に図６のフローチャートを参照して、上記図５のステップＳ８にて実行される第１の実施の形態によるサブルーチン“調光判断”のシーケンスを説明する。ステップＳ３０は上記ステップＳ１２と全く同様にストロボの発光が必要であるかを判断し、発光が必要でない場合には調光判断する必要がないのでリターンする。発光が必要な場合には、ズームエンコーダ３７の示す値を読込む（ステップＳ３１）。ズームエンコーダ３７からは上述のように撮影レンズ１０１の絶対的な位置がＭＣＯＮ３０に出力されるので、撮影レンズ１０１の焦点距離に相当する情報を得ることができる。
【００５２】
そして、ＭＣＯＮ３０は読込んだ撮影レンズ１０１の焦点距離が所定距離よりも短焦点側にあるかを判断する（ステップＳ３２）。この所定の焦点距離はズームレンズのカバーする焦点距離領域の中で比較的短焦点の値であり、ＥＥＰＲＯＭ３２中に記憶しておく。
【００５３】
読込んだ焦点距離が所定の焦点距離よりも短焦点側であると判断された場合には、上記（１）式で演算される被写体距離の情報の信頼性が低いのでＴＴＬ調光が選択される。一方、所定の焦点距離よりも長焦点側であると判断された場合には、被写体距離の情報の信頼性が高いのでＦＭ調光が選択される。
【００５４】
ＴＴＬ調光が選択された場合には、ＭＣＯＮ３０はＦＭ調光フラグを０にクリアする（ステップＳ３３）。このフラグは図５のステップＳ１４での判断に使用される。そして、ＴＴＬ  ＩＣの初期化を行うと共にＰ-ＴＴＬＥＮにてＩＣをイネーブルにし（ステップＳ３４）、リターンする。
【００５５】
一方、上記ステップＳ３２にて、ＦＭ調光が選択された場合には、ＦＭ調光フラグを１にセットする（ステップＳ３５）。そして、ＴＴＬ  ＩＣをディセーブルには（ステップＳ３６）、上記（１）式にて被写体距離を演算する（ステップＳ３７）。これは、ズームエンコーダ３７の値毎に固有の定数ａ，ｂをＲＯＭ中のテーブルから読み込み、焦点調節レンズの無限遠合焦位置からの繰出し量ｘをＡＦＰ１４２の積算から求めて、被写体距離を演算する。さらに、演算された被写体距離で適正露光となるストロボのガイドナンバを求める（ステップＳ３８）。求めたガイドナンバによるストロボの制御は発光時間の長さで制御するので、実際に発光させる発光時間を演算し（ステップＳ３９）、リターンする。
【００５６】
次に図７のフローチャートを参照して、第２の実施の形態によるサブルーチン“調光判断”のシーケンスを説明する。この第２の実施の形態による動作は、前述した図５のステップＳ８にて実行されるものである。
【００５７】
第２の実施の形態は、演算した被写体距離が所定の被写体距離より遠い場合には被写体距離の情報の信頼性が低いと判断し、ＴＴＬ調光を選択するが、所定の被写体距離より近い場合には被写体距離の情報の信頼性が高いと判断し、ＦＭ調光を選択する。ステップＳ４０以外は全て図６と同じであるので、説明を省略する。即ち、第２の実施例では図６のステップＳ３７の被写体距離演算をステップＳ３１のズームエンコーダ読取り直後に行い、演算した被写体距離が所定の被写体距離以遠かを判断して調光方式の選択を行う（ステップＳ４０）。
【００５８】
上述した第１と第２の実施の形態は、いづれも被写体距離の演算結果の信頼性が低いか高いかを判断して、低い場合にはＴＴＬ調光を選択し、高い場合にはＦＭ調光を選択するという例である。変形例として、第１と第２の実施例を組み合わせて、焦点距離が所定の焦点距離よりも短焦点側及び／又は被写体距離が所定の被写体距離よりの遠い場合にはＴＴＬ調光を選択するようにしてもよい。
【００５９】
次に図８のフローチャートを参照して、第３の実施の形態によるサブルーチン“調光判断”のシーケンスを説明する。この第３の実施の形態による動作は、前述した図５のステップＳ８にて実行されるものである。
【００６０】
第３の実施の形態は、被写体が逆光状態にある場合にはＦＭ調光を選択するが、順光状態にある場合にはＴＴＬ調光を選択する。これは、主要被写体（中心部）の周りに極端に高輝度の被写体がある場合には正確なＴＴＬ調光が出来ないためである。ステップＳ５０以外は全て図６と同じであるので説明を省略する。ステップＳ５０における逆光状態の判断は、図５中のステップＳ４の測光演算中にて行われる逆光判断結果に基づいて判断される。
【００６１】
ここで、図９のフローチャートを参照して、上記ステップＳ４で実行されるサブルーチン“逆光判断”のシーケンスを説明する。上述したように、測光素子１１２は日の丸センサであり、中心部を測光する測光素子４６の出力に基づいて中心部の被写体輝度を演算し（ステップＳ６０）、周辺部を測光する測光素子４７の出力に基づいて周辺部の被写体輝度を演算する（ステップＳ６１）。そして、中心部の被写体輝度と周辺部の被写体輝度の差を演算し（ステップＳ６２）、その輝度差が所定値（例えば１ＥＶ）以上であるかを判断する（ステップＳ６３）。輝度差が所定値以上であるか場合には被写体が逆光状態にあるので逆光フラグを１にセットし（ステップＳ６４）、輝度差が所定値未満であるか場合には被写体が順光状態にあるので逆光フラグを０にクリアして（ステップＳ６５）、リターンする。図８のステップＳ５０では、この逆光フラグを判断する。
【００６２】
次に図１０のフローチャートを参照して、第４の実施の形態によるサブルーチン“調光判断”のシーケンスを説明する。この第４の実施の形態による動作は、前述した図５のステップＳ８にて実行されるものである。
【００６３】
第４の実施の形態は、マクロ撮影モードを持つカメラにおいて、撮影者がマクロ撮影モードを選択している場合にはＴＴＬ調光を選択する例であり、ステップＳ７０で調光方式の選択を行っている。これは、マクロ撮影時には、ストロボ光を拡散させる効果を持つ装置を使用する場合が多いことによる。このステップＳ７０以外は全て図６と同じであるので説明を省略する。
【００６４】
次に図１１のフローチャートを参照して、第５の実施の形態によるサブルーチン“調光判断”のシーケンスを説明する。この第５の実施の形態による動作は、前述した図５のステップＳ８にて実行されるものである。
【００６５】
第５の実施の形態は、撮影者の意図により調光方式を手動にて選択できるカメラの例である。調光方式を手動にて選択するような場合は、反射率が極端に低い被写体や高い被写体が画面内にある場合であり、またハイレベルな撮影者向けに意図的に選択可能にする。例えば、結婚式で金屏風をバックにするような場合には、金屏風をバックにＴＴＬ調光すると、金屏風によるストロボ光の反射が強すぎるために金屏風だけが光った写真になるが、反射率が極端に高い被写体や低い被写体が画面内にあることをカメラが正確に検知することは難しい。この場合には撮影者がＦＭ調光を選択することで解決できる。
【００６６】
即ち、ステップＳ８０では、スイッチ類３４中に設けられた調光方式切換スイッチが、ＴＴＬ調光を選択しているかＦＭ調光を選択しているかを判断する。このステップＳ８０以外は全て図６と同じであるので説明を省略する。
【００６７】
ここで、図１２（ａ）はＬＣＤ３３とその周辺のスイッチ類３４の一部の配置例であり、図１２（ｂ）はＬＣＤ３３中のストロボモード表示例を示している。符号７０はストロボモードスイッチであり、表示７２中のＡＵＴＯ（低輝度自動発光）、ＡＵＴＯ−Ｓ（赤目軽減低輝度自動発光）、ＦＩＬＬ−ＩＮ（強制自動発光）を選択する。符号７１はＴＴＬ調光とＦＭ調光を選択するスイッチであり、ＴＴＬ調光を選択すると符号７２中のＴＴＬが点灯し、ＦＭ調光を選択すると符号７２中のＴＴＬが消灯するようになっている。
【００６８】
以上、本発明の実施例を説明したが、本発明の主旨を逸脱することなく種々の変形が可能であることは勿論である。例えば、各実施例を組み合わせて効果を高める事ができる。また、オート調光の例としてＴＴＬ調光の例を示しているが、外光式オート調光でも同様の効果を得ることができる。
【００６９】
以上説明したように、本発明によれば、ＦＭ調光とＴＴＬ調光を代表とするオート調光を自動的に切り換えることによって、被写体距離の情報の信頼性が低い時やマクロ撮影モード設定時や被写体が逆光状態にある場合にも正確なストロボ調光が得られる。また、被写体の反射率が極端に低い場合や高い場合や、また撮影者の意図を反映するために、ＦＭ調光とオート調光を手動によって選択可能にすることにより、正確なストロボ調光が得られる。即ち、いかなる被写体においても適正露出が得られるストロボ調光装置が得られる。
【００７０】
尚、本発明の上記実施態様によれば以下のごとき構成が得られる。
（１）被写体に閃光発光を行う閃光発光手段と、
上記閃光発光を被写体距離情報と絞り情報及びフィルム感度情報に基づいて設定されるガイドナンバによって制御する第１の制御手段と、
上記閃光発光による被写体からの反射光量を受光し、当該受光量が適正露出に相当する所定値に達したときに閃光停止させて上記閃光発光を制御する第２の制御手段と、
上記第１の制御手段と上記第２の制御手段のいずれかを選択する選択手段と、
上記被写体距離情報の信頼度を判定する信頼度判定手段と、
を具備し、上記信頼度判定手段において信頼度が低いと判定された場合には、上記選択手段が上記第２の制御手段を選択することを特徴とするストロボ調光装置。
【００７１】
（２）ズーミングによる撮影レンズの位置を検出し、該撮影レンズの焦点距離に相当する情報を出力する焦点距離情報出力手段を更に具備し、上記焦点距離情報出力手段の出力が所定焦点距離より短焦点距離側であるときには、上記信頼度判定手段において上記被写体距離情報の信頼度が低いと判定することを特徴とする上記（１）に記載のストロボ調光装置。
【００７２】
（３）上記被写体距離が所定被写体距離以上であるときには、上記信頼度判定手段において上記被写体距離情報の信頼度が低いと判定することを特徴とする上記（１）に記載のストロボ調光装置。
【００７３】
（４）被写体に閃光発光を行う閃光発光手段と、
上記閃光発光を被写体距離情報、絞り情報及びフィルム感度情報に基づいて設定されるガイドナンバによって制御する第１の制御手段と、
上記閃光発光による被写体からの反射光量を受光し、当該受光量が適正露出に相当する所定値に達したときに閃光停止させて上記閃光発光を制御する第２の制御手段と、
上記第１の制御手段と上記第２の制御手段のいずれかを選択する選択手段と、
上記被写体が逆光状態にあるかを判定する逆光判定手段と、
を具備し、上記逆光判定手段において逆光状態であると判定された場合には、上記選択手段が上記第１の制御手段を選択することを特徴とするストロボ調光装置。
【００７４】
（５）被写体に閃光発光を行う閃光発光手段と、
上記閃光発光を被写体距離情報、絞り情報及びフィルム感度情報に基づいて設定されるガイドナンバによって制御する第１の制御手段と、
上記閃光発光による被写体からの反射光量を受光し、当該受光量が適正露出に相当する所定値に達したときに閃光停止させて上記閃光発光を制御する第２の制御手段と、
上記第１の制御手段と上記第２の制御手段のいずれかを選択する選択手段と、
マクロ撮影モードを設定するマクロ撮影モード設定手段と、
を具備し、上記マクロ撮影モードが設定されている場合には、上記選択手段が上記第２の制御手段を選択することを特徴とするストロボ調光装置。
【００７５】
（６）被写体に閃光発光を行う閃光発光手段と、
上記閃光発光を被写体距離情報、絞り情報及びフィルム感度情報に基づいて設定されるガイドナンバによって制御する第１の制御手段と、
上記閃光発光による被写体からの反射光量を受光し、当該受光量が適正露出に相当する所定値に達したときに閃光停止させて上記閃光発光を制御する第２の制御手段と、
上記第１の制御手段と上記第２の制御手段のいずれかを選択する選択手段と、を具備し、上記選択手段は撮影者の手動によって選択可能であることを特徴とするストロボ調光装置。
【００７６】
【発明の効果】
以上詳述したように、本発明によれば、ＦＭ調光とオート調光の切換可能なカメラのストロボ調光装置において、被写体距離の情報の信頼性が低い時やマクロ撮影モード設定時にはオート調光を自動的に選択する共に、日中シンクロで被写体が逆光状態にある場合にはＦＭ調光を自動的に選択し、あらゆる被写体において適正露出が得られるストロボ調光装置を提供することができる。
【図面の簡単な説明】
【図１】本発明のストロボ調光装置の概念図である。
【図２】広角側（３５ｍｍ前後の目安）と望遠側（１３５ｍｍ前後の目安）のＦＭ調光による露光誤差と被写体距離の関係の一例を示す図である。
【図３】本発明を採用したカメラの光学系の構成を示す図である。
【図４】本発明を採用したカメラの構成を詳細に示すブロック図である。
【図５】本発明を採用したカメラの動作を示すフローチャートである。
【図６】第１の実施の形態によるサブルーチン“調光判断”の動作を示すフローチャートである。
【図７】第２の実施の形態によるサブルーチン“調光判断”の動作を示すフローチャートである。
【図８】第３の実施の形態によるサブルーチン“調光判断”の動作を示すフローチャートである。
【図９】サブルーチン“逆光判断”の動作を示すフローチャートである。
【図１０】第４の実施の形態によるサブルーチン“調光判断”の動作を示すフローチャートである。
【図１１】第５の実施の形態によるサブルーチン“調光判断”の動作を示すフローチャートである。
【図１２】（ａ）はＬＣＤ３３とその周辺のスイッチ類３４の一部の配置例であり、（ｂ）はＬＣＤ３３中のストロボモード表示例を示す図である。
【符号の説明】
１…被写体距離演算部、２…焦点距離情報出力部、３…被写体距離信頼性判定部、４…逆光判定部、５…マクロ撮影モード設定部、６…調光方式選択部、７…ＴＴＬ調光制御部、８…ＦＭ調光制御部、９…閃光発光部。
【図１】
0003699757.tif 000002
【図２】
0003699757.tif 000003
【図３】
0003699757.tif 000004
【図４】
0003699757.tif 000005
【図５】
0003699757.tif 000006
【図６】
0003699757.tif 000007
【図７】
0003699757.tif 000008
【図８】
0003699757.tif 000009
【図９】
0003699757.tif 000010
【図１０】
0003699757.tif 000011
【図１１】
0003699757.tif 000012
【図１２】
0003699757.tif 000013